(57)【要約】【構成】インサーション管１０は、既設管路１２の曲がり管部１６に相当する位置に形成されたコルゲート形状部２０を含む。コルゲート形状部２０は、予め準備した直管２６に対して、たとえば真空成形または圧空成形等の２次加工を施すことによって成形され得る。インサーション管１０を既設管路１２に挿入すると、曲がり管部１６ではコルゲート形状部２０が曲がり管部１６の曲率に追随して屈曲した状態で配置される。直管部１４に相当する位置に形成された縮径部２２を復元させるために加熱加圧蒸気を供給しても、曲がり管部１６では、しわや座屈等が発生することはない。【効果】良好な復元をすることができ、内径減少による流量低下等が生じることがなく、本来の性能を発揮できる。また、曲がり管部に相当する位置のみをコルゲート形状とするので、コルゲート形状に起因する圧力損失は少ない。【選択図】  図６
2004232673.tif 000002
【特許請求の範囲】
【請求項１】
直管部と曲がり管部とを含む既設管路に挿入されるインサーション管において、
前記曲がり管部に相当する位置に２次加工によってコルゲート形状部を形成したことを特徴とする、インサーション管。
【請求項２】
直管部と曲がり管部とを含む既設管路に挿入されるインサーション管の製造方法であって、
（ａ）  直管を準備し、そして
（ｂ）  前記直管に対して前記曲がり管部に相当する位置にコルゲート形状部を形成する、インサーション管の製造方法。
【請求項３】
直管部と曲がり管部とを含む既設管路にインサーション管を挿入するインサーション工法であって、
（ｃ）  直管を施工現場に搬入し、
（ｄ）  前記施工現場において、前記直管に対して前記曲がり管部に相当する位置にコルゲート形状部を形成することによってインサーション管を形成し、そして、
（ｅ）  前記インサーション管を前記既設管路に挿入する、インサーション工法。
【発明の詳細な説明】
【０００１】
【産業上の利用分野】
この発明はインサーション管およびその製造方法ならびにインサーション工法に関し、特にたとえば直管部と曲がり管部とを含む既設管路に挿入されるインサーション管およびそのようなインサーション管の製造方法ならびにそのようなインサーション管を既設管路に挿入して既設管路を内側から更新・更生するインサーション工法に関する。
【０００２】
【従来の技術】
従来のこの種のインサーション管の一例がたとえば特許文献１に開示されている。従来のインサーション管は、ローラや押し板等を用いた縮径加工により周方向の一部が押し込まれた断面略ハート形状を有している。このように縮径加工を施すのは、既設管路への挿入抵抗を軽減させるためである。そして、このインサーション管を既設管路内に挿入し、インサーション管内に加熱および加圧した蒸気を供給することによって、その断面形状を略円形に復元する。このようにして、既設管路内にインサーション管による新たな管路を設け、あるいは、既設管の内周面にインサーション管を略密着させることによって、既設管路の更新・更生を行うことができる。また、この種のインサーション管には、復元させても断面がやや偏平して真円にならないという問題があったが、復元させたときに断面形状が十分な真円となるようにしたインサーション管はたとえば特願２００１−４８０５４号に開示されている。
【０００３】
【特許文献１】
特開昭６４−５６５３１号公報（第２図等）
【０００４】
【発明が解決しようとする課題】
従来のインサーション管では、既設管路の直線状に配管されている部分すなわち直管部においては、上述のように断面形状が略真円で既設管内面に略密着させる良好な復元とすることができた。しかし、既設管路の曲線状に配管されている部分すなわち曲がり管部においては、折れしわや座屈等が発生するなどその復元性に問題があり、内径減少による流量低下等を招くおそれがあった。
【０００５】
なお、曲がり管部を有する既設管路を更新する場合において、単に既設管路内への挿入を容易にするために、曲げ施工性または屈曲性に優れるコルゲート管をインサーション管として使用する技術も一般的によく知られている。しかし、このコルゲート管を用いた技術では、ガス等の流体の輸送を用途とする管路の場合には、コルゲート管の内面の凹凸による抵抗を生じ、圧力損失が大きくなって充分な流量を確保できないという問題がある。
【０００６】
それゆえに、この発明の主たる目的は、曲がり管部を有する既設管路であっても、良好に復元することができ、しかも圧力損失の少ない、インサーション管およびそのようなインサーション管の製造方法ならびにインサーション工法を提供することである。
【０００７】
【課題を解決するための手段】
第１の発明は、直管部と曲がり管部とを含む既設管路に挿入されるインサーション管において、曲がり管部に相当する位置に２次加工によってコルゲート形状部を形成したことを特徴とする、インサーション管である。
【０００８】
第２の発明は、直管部と曲がり管部とを含む既設管路に挿入されるインサーション管の製造方法であって、（ａ）  直管を準備し、そして（ｂ）  直管に対して曲がり管部に相当する位置にコルゲート形状部を形成する、インサーション管の製造方法である。
【０００９】
第３の発明は、直管部と曲がり管部とを含む既設管路にインサーション管を挿入するインサーション工法であって、（ｃ）  直管を施工現場に搬入し、（ｄ）  施工現場において、直管に対して曲がり管部に相当する位置にコルゲート形状部を形成することによってインサーション管を形成し、そして、（ｅ）  インサーション管を既設管路に挿入する、インサーション工法である。
【００１０】
【作用】
第１の発明のインサーション管では、曲がり管部に相当する位置に２次加工によってコルゲート形状部が形成される。コルゲート形状部は曲げ施工性ないし屈曲性に優れるので、このインサーション管を既設管路に挿入すると、曲がり管部ではコルゲート形状部が曲がり管部の曲率に追随して屈曲した状態で配置される。そして、直管部に相当する位置にたとえば縮径加工によって断面略ハート形状を有する縮径部が形成されたインサーション管の場合には、挿入後に管内に加熱加圧蒸気が供給されるが、この蒸気が供給されても、曲がり管部では、このコルゲート形状部が配置されているので、しわや座屈等が発生することはない。
【００１１】
第２の発明のインサーション管の製造方法では、まず、直管を準備する。直管は既設管路の長さよりも長い長尺管である。また、たとえば、更新管路に既設管路と同程度の流量が要求される場合等には、直管は既設管路の内径と同程度の外径に設定されるとともに、所定温度に加熱した状態での縮径加工によって周方向の一部が押し込まれた断面略ハート形状に形成されている。なお、更新管路の径が既設管路に比べて小さく（たとえば半分程度）設定される場合のように既設管路内への挿入時の抵抗がほとんど問題とならない場合には、縮径加工を施していないたとえば円形管を直管として準備すればよい。そして、準備した直管に対して、曲がり管部に相当する位置にコルゲート形状部を形成する。既設管路の配管状態はたとえば埋設図または配管図等から把握することができ、この場合には施工前に予め工場等でインサーション管を製造することができる。このコルゲート形状部はたとえば真空成形または圧空成形等のような２次加工によって形成され得る。具体的には、その内面にコルゲート形状を成形するための型が形成された外型（金型）を用いて、曲がり管部に相当する位置を所定温度に加熱するとともに、外面側から真空吸引し、あるいはさらに内面側から圧縮空気を供給すること等によって、外型の内面に管壁を圧接させ、該当位置の管壁にコルゲート形状を付与する。なお、このコルゲート形状を付与するときの加熱温度は、準備した直管が縮径加工されたものである場合、縮径加工したときの温度よりも高い温度（たとえば融点近傍）に設定され、挿入後に縮径部が復元されてもコルゲート形状部は復元されないようにしている。その後、冷却して固化させる。このようにして、曲がり管部を有する既設管路に適用されるインサーション管を簡単に製造することができる。
【００１２】
第３の発明のインサーション工法では、まず、直管を施工現場に搬入する。この直管は上述の第２の発明で準備した直管とほぼ同様のものである。直管は、既設管路の長さに対応すべく十分な長さを有する長尺管であり、たとえばドラムに巻き取られた状態で施工現場に搬入される。次に、施工現場において、この直管に対して、曲がり管部に相当する位置にコルゲート形状部を形成することによってインサーション管を形成する。既設管路の配管状態は種々の探査技術等を用いて現場で調査することによって把握することができる。なお、たとえば埋設図または配管図等がある場合にはこれら図面から配管状態を把握してもよい。このコルゲート形状部は、上述の第２の発明で行ったコルゲート形状部の形成と同様な処理によって、すなわち、たとえば真空成形または圧空成形等のような２次加工によって形成され得る。そして、現場で形成したインサーション管を既設管路に挿入する。たとえば、既設管路内に牽引ワイヤを挿通して、インサーション管の先端部に牽引ワイヤを取付けてウインチで巻き取ることによって、既設管路内にインサーション管を引き込む。挿入後、インサーション管が縮径加工された縮径部を含むものである場合には、インサーション管内に加熱加圧蒸気が供給されて縮径部が略真円形に復元される。しかし、コルゲート形状部は復元されずコルゲート形状を維持している。つまり、曲がり管部においては、コルゲート形状部が曲がり管部の曲率に追随して屈曲した状態で配置されており、しわや座屈等が発生することはない。
【００１３】
【発明の効果】
この発明によれば、曲がり管部に相当する位置にコルゲート形状部を形成するようにしたので、復元させる場合であっても、曲がり管部では、しわや座屈等が発生することがなく、良好な復元をすることができる。したがって、従来技術のような内径減少による流量低下等が生じることがなく、本来の性能を発揮できる。さらに、曲がり管部に相当する位置のみをコルゲート形状とするので、インサーション管としてコルゲート管を使用する場合に比べて、コルゲート形状に起因する圧力損失は少なく、充分な流量を確保することができる。
【００１４】
この発明の上述の目的，その他の目的，特徴および利点は、図面を参照して行う以下の実施例の詳細な説明から一層明らかとなろう。
【００１５】
【実施例】
図１に示すこの実施例のインサーション管１０は、たとえば図２に示すような既設管路１２に挿入されてこれを更新・更生するためのものである。既設管路１２は、老朽化等により更新または更生を必要としているものであり、その用途および構成材料は種々のものが適用され得るが、たとえば、ガス，上下水道，通信ケーブル保護または電力ケーブル保護等の用途であってよいし、また、ダクタイル鋳鉄管，鋼管または塩ビ管のような合成樹脂管等から構成される管路であってよい。インサーション管１０の構成材料は、合成樹脂（ポリエチレン，ポリブテン，ポリプロピレン，ナイロン，塩化ビニル等）であるが、ここではポリエチレンの実施例を示す。
【００１６】
既設管路１２は、直線状に配管されている部分すなわち直管部１４と、曲線状に，曲率を有してまたは屈曲して配管されている部分すなわち曲がり管部１６とを含む。具体的には、この実施例の更新対象区間の既設管路１２では、図２に示すように、終点の立坑１８ａから始点の立坑１８ｂまで、長さＬ１の直管部１４ａ，長さＬ２の曲がり管部１６ａ，長さＬ３の直管部１４ｂ，長さＬ４の曲がり管部１６ｂおよび長さＬ５の直管部１４ｃがこの順に設けられている。なお、各部の長さはその管軸における長さである。また、曲がり管部１６の長さは、曲がり管部１６を構成する曲げ管または曲げ管継手等のたとえば外形の長さまたは有効長等に設定され得るが、少なくとも直管では対応（追随）できない曲率を有する部分の長さ以上に設定される。
【００１７】
なお、既設管路１２に形成される各直管部１４ａ，１４ｂおよび１４ｃをまとめて参照符号１４を用いて直管部１４といい、各曲がり管部１６ａおよび１６ｂをまとめて参照符号１６を用いて曲がり管部１６ということもある。
【００１８】
このインサーション管１０は、上述のような既設管路１２の配管状態に対応して形成されている。つまり、インサーション管１０は、曲がり管部１６に相当する位置に形成されたコルゲート形状部２０を含む。具体的には、曲がり管部１６ａに相当する位置に曲がり管部１６ａと同等の長さＬ２を有してコルゲート形状部２０ａが形成され、曲がり管部１６ｂに相当する位置に曲がり管部１６ｂと同等の長さＬ４を有してコルゲート形状部２０ｂが形成されている。なお、各コルゲート形状部２０ａおよび２０ｂをまとめて参照符号２０を用いてコルゲート形状部２０ということもある。
【００１９】
コルゲート形状部２０では、その管壁がコルゲート形状または波形状等に形成され、その断面形状は、図１（Ｃ）に示すように、略円形にされる。この実施例では、コルゲート形状部２０の外面側に突出する凸部の外径は、既設管路１２の内径とほぼ同じかやや小さいサイズに設定される。このようなコルゲート形状部２０は優れた曲げ施工性ないし屈曲性を有することとなり、既設管路１２内に挿入されたとき曲がり管部１６の曲率に追随して変形（屈曲）することができる。
【００２０】
また、インサーション管１０では、直管部１４に相当する位置には直管状の直管部が形成されるが、この実施例では、直管部として、図１（Ｂ）に示すような縮径加工により周方向の一部が押し込まれた断面略ハート形状を有する縮径部２２が形成されている。この略Ｕ字状の押し込まれた部分を押し込み部分２４という。具体的には、既設管路１２の直管部１４ｂに相当する位置に、直管部１４ｂと同等の長さＬ３を有して、縮径部２２ｂが形成される。また、既設管路１２の直管部１４ａおよび１４ｃに相当する位置には、少なくとも直管部１４ａおよび１４ｃの長さＬ１およびＬ５と同等の長さを有して、縮径部２２ａおよび２２ｃがそれぞれ形成されている。なお、各縮径部２２ａ，２２ｂおよび２２ｃをまとめて参照符号２２を用いて縮径部２２ということもある。
【００２１】
縮径部２２は、所定の温度に加熱しかつ加圧されることにより断面略真円形に復元される。復元した縮径部すなわち直管部２２の外径が既設管路１２の内径とほぼ同じかやや小さいサイズとなるように設定されている。つまり、この実施例は、更新管路においても既設管路１２と同程度の内径寸法すなわち流量が要求される場合の例を示しており、このような場合には、インサーション管１０の直管部としては縮径部を形成して、挿入時の既設管路１２内面との接触を抑制し、抵抗を低減するのがよい。
【００２２】
コルゲート形状部２０と縮径部２２との境界部では、両者は断面略真円形で連続されており、押し込み部分２４はコルゲート形状部２０に近づくにつれて外面方向へすなわち本来の形状へ徐々に戻されたようになっている。
【００２３】
なお、コルゲート形状部２０の長さは曲がり管部１６の長さと同等に設定されるが、少なくとも曲率を有する部分の長さを確保していればよく、場合によっては曲がり管部１６の長さよりもやや長く設定されてもよい。ただし、この場合にはそのコルゲート形状部２０と隣接する直管部２２の長さをやや短くして長さ調整する。
【００２４】
インサーション管１０を製造する際には、まず、直管２６（図３）を準備する。この直管２６は、図３（Ｂ）に示すように、縮径加工によって周方向の一部が押し込まれた断面略ハート形状を有しており、また、その長さは、既設管路１２の長さよりも十分長く設定される。たとえば、直管２６はドラム２８（図２）に巻き取られた長尺管である。この直管２６の押し込み部分２４は、軟化点以上融点以下の範囲における所定の温度（この実施例では、たとえば約１００℃程度）で縮径加工されることによって形成されている。したがって、再び軟化点以上融点以下の温度に加熱することによって、押し込み部分２４が外面側へ戻されて、断面略真円形に復元する。そして、この復元したときの外径が既設管路１２の内径とほぼ同じかやや小さいサイズとなるように設定されている。
【００２５】
このような直管２６は、従来公知の方法（特許文献１等）によって製造することができるので、その製造方法の説明は省略する。また、復元後に断面が十分な真円となる直管を製造するには、簡単に言えば、押し込まれる部分の曲率半径を復元後の曲率半径よりも小さくした直管を押出成形し、その後、押し板等を用いた縮径加工により押し込み部分を形成すればよい。この製造方法は特願２００１−４８０５４号に詳述されるので参照されたい。
【００２６】
そして、準備した直管２６に対して２次加工を施して、既設管路１２の曲がり管部１６に相当する位置にコルゲート形状部２０を形成する。
【００２７】
具体的には、まず、既設管路１２の配管状態をたとえば埋設図や配管図等によって確認する。このように、埋設図等で配管状態が把握できる場合には、予め工場等でインサーション管１０を製造することができる。
【００２８】
そして、配管状態に従って、たとえば直管２６の外面に順次マーキング等を施して、直管２６において、既設管路１２の直管部１４および曲がり管部１６に相当する位置を明らかにする。この実施例では、たとえば直管２６の先端側の所定位置に基準線を設け、そこから順に長さＬ１，Ｌ２，Ｌ３，Ｌ４およびＬ５を確保することによって、直管部１４ａ，曲がり管部１６ａ，直管部１４ｂ，曲がり管部１６ｂおよび直管部１４ｃに相当する位置をそれぞれ明らかにする。なお、引込み時に直管２６の先端にワイヤ取付具２８を取付けることおよび相手方の管ないし管継手等との接合等を考慮して、直管２６の先端を基準としないのが望ましい。
【００２９】
次に、曲がり管部１６に相当する位置に、たとえば図４（Ａ）に示すように、コルゲート形状部形成のための外型３２を配置する。
【００３０】
この外型３２は、たとえば、金属製の２つの半割モールドブロック３２ａおよび３２ｂを組み合わせたものである。半割モールドブロック３２ａおよび３２ｂの内面には、コルゲート形状を成形するための型が形成されており、具体的には凸部（山）を成形するための径大な溝部３４と凹部（谷）を成形するための径小な突起部３６とが軸方向に交互に連続して形成される。また、各溝部３４には真空引きのためのスリット３８が周方向に間隔を隔てて形成されている。各スリット３８は、たとえば半割モールドブロック３２ａに設けた吸引口４０と連通するようにされる。溝部３４の底の内径は、既設管路１２の内径とほぼ同じかやや小さく設定されている。また、半割モールドブロック３２ａおよび３２ｂの軸方向長さは、各曲がり管部１６の長さと同等に設定される。また、外型３２は、図示しないヒータ等の加熱装置を内蔵しており、配置される直管２６を所定の温度に加熱できるようになっている。
【００３１】
したがって、この外型３２の加熱装置を駆動して、配置された直管２６を所定の温度に加熱する。この実施例では、直管２６の押し込み部分２４を形成したときの温度（約１００℃程度）よりも高い温度（たとえば約１２０〜１３０℃程度）に加熱する。この加熱温度は、この実施例では融点近傍温度またはやや高い温度であるが、この処理で成形されるコルゲート形状部２０が施工時の縮径部２２の復元のための加熱加圧蒸気によっては復元されずにコルゲート形状が維持できるような温度に設定される。
【００３２】
そして、加熱状態で、図示しない真空ポンプを駆動して吸引口４０およびスリット３８から真空吸引する。この加熱および真空引きの処理によって、この直管２６の曲がり管部１６に相当する位置では、管が軟化して断面略真円形に復元するとともに、さらに外型３２の内面に管壁が圧接されて、コルゲート形状にされる（図４（Ｂ））。ただし、外型３２の加熱の影響を受ける部分が変形するだけであり、たとえばコルゲート形状部２０と縮径部２２との境界部では断面略円形状に復元されるが、外型３２の加熱の影響を受けない他の部分では断面略ハート形状のままである。
【００３３】
なお、上述のような外面側からの真空吸引（真空成形）のみならず、直管２６内に図示しないポンプ等から圧縮空気を供給して内圧を付与する圧空成形をさらに施すようにしてもよい。この場合には、該当位置にコルゲート形状を容易に成形することができる。
【００３４】
そして、この状態で所定時間（たとえば１０分程度）保持しておく。その後、外型３２の加熱装置を停止し、たとえば直管２６内に空気を供給しつつ、所定時間（たとえば１０分程度）さらに保持することによって、このコルゲート形状が付与された管体を冷却し固化させる。冷却後、外型３２を離型する。
【００３５】
このようにして、曲がり管部１６に相当する位置の管壁にコルゲート形状が付与（賦形）され、コルゲート形状部２０が形成される。そして、すべての曲がり管部１６相当位置にコルゲート形状部２０を形成することによって、インサーション管１０（図１）が形成される。
【００３６】
このインサーション管１０を用いて既設管路１２の更新をする際には、図２に示すように、まず、立坑１８ａおよび１８ｂを掘削し、更新対象とする既設管路１２の両端を立坑１８ａおよび１８ｂ内でそれぞれ開口させる。次に、終点の立坑１８ａの近辺にウインチ４２を準備するとともに、始点の立坑１８ｂの近辺にインサーション管１０が巻き取られたドラム２８を準備する。ドラム２８のインサーション管１０の後端ないし基端は供給管等を介してボイラ等の蒸気発生装置４４に接続され、インサーション管１０内に所定温度に加熱し加圧した蒸気を供給可能にしている。
【００３７】
続いて、既設管路１２内に牽引ワイヤ４６を挿通して、インサーション管１０の先端にワイヤ取付具３０を介して牽引ワイヤ４６を接続する。そして、ウインチ４２で巻き取ることによって、インサーション管１０は既設管路１２内に引き込まれる。
【００３８】
引き込み（挿入）の際には、必要に応じてたとえば蒸気発生装置４４等を用いてインサーション管１０を所定温度（約８０℃程度）に加熱して、インサーション管１０を曲がり易くして挿入抵抗をさらに低減するようにしてもよい。なお、このときの加熱温度は、インサーション管１０の直管部ないし縮径部２２の押し込み部分２４を形成したときの温度よりも低く設定されるので、この加熱によって縮径部２２が復元することはない。
【００３９】
そして、たとえば既設管路１２の直管部１４ａの先端面に基準線が到達するまでインサーション管１０を引き込むことによって、インサーション管１０を既設管路１２内で所定位置に配置する。このとき、既設管路１２の曲がり管部１６においては、たとえば図５に示すように、対応するコルゲート形状部２０が配置され、曲がり管部１６の曲がり具合に追随して変形（屈曲）している。
【００４０】
その後、インサーション管１０内に蒸気発生装置４４から所定温度に加熱し所定圧力に加圧した蒸気を供給する。この蒸気の温度は、たとえば約１００℃程度に設定される。これは縮径部２２の押し込み部分２４を形成したときの温度と同程度である。また、この蒸気の圧力はインサーション管１０が破裂しない程度圧力であり、たとえば約０．１〜０．２ＭＰａ程度に設定される。
【００４１】
この蒸気供給によって、インサーション管１０は加熱されるとともに内圧がかけられ、図６に示すように、その縮径部２２の断面形状が真円または真円に十分に近い略真円形に復元する。なお、準備した直管２６（図３）の復元時の外径が既設管路１２の直管部１４の内径と略同じサイズに設定されている場合には、このように復元した状態の直管部２２の外周面の全体を既設管路１２の直管部１４の内周面の全体に略密着させることができる。
【００４２】
そして、内圧を保持した状態で、インサーション管１０内に冷却空気を供給してインサーション管１０を冷却する。冷却後、インサーション管１０内から圧力空気を排出する。このようにして、インサーション管１０によって、既設管路１２の更新をすることができる。
【００４３】
なお、インサーション管１０の両端部は、既設管路１２の長さに合わせて切断してもよいし、接続の相手方の管ないし管継手等との接続形態等に応じて、適宜長さを調整して切断するようにしてもよい。また、既設管路１２をそのまま残置すれば、既設管路１２はインサーション管１０からなる更新管路の防護管として機能する。
【００４４】
この実施例によれば、曲がり管部１６に相当する位置にコルゲート形状部２０を形成するようにしたので、既設管路１２内に挿入後に加熱圧縮空気を供給すると、縮径されている直管部２２のみで復元されることとなる。したがって、曲がり管部１６では、しわや座屈等が発生することがなく、良好な復元をすることができるので、従来技術のような内径減少による流量低下等が生じることがなく、本来の性能を発揮できる。さらに、曲がり管部１６に相当する位置のみをコルゲート形状とするので、インサーション管１０としてコルゲート管を使用する場合に比べて、コルゲート形状に起因する圧力損失は少なく、充分な流量を確保することができる。
【００４５】
なお、上述の実施例では、コルゲート形状部２０を形成する際に、図４に示すように、外型３２を用いて、断面略ハート形状から直接的にコルゲート形状に成形するようにしているが、押し込み部分２４の復元が十分でない場合等には、一旦断面円形に復元させておいて、その後、コルゲート形状に成形するようにして、段階的に成形するようにしてもよい。
【００４６】
つまり、たとえば、図７（Ａ）に示すように、まず、平滑な内面を有する外型４８を準備する。この外型４８は、内面にコルゲート形状を成形するための型が形成されていない以外は、外型３２とほぼ同様に構成されている。そして、この外型４８を用いて、直接的にコルゲート形状を成形したときと同様に、所定温度に加熱するとともに、真空吸引および内圧付加等を施すことによって、直管２６の該当位置を断面円形に復元させる。なお、この断面円形に復元する際の温度は、直管２６の押し込み部分２４を形成したときの温度（約１００℃程度）と同程度に設定すればよい。
【００４７】
そして、図７（Ｂ）に示すように、コルゲート形状を付与できる外型３２を、この断面円形に復元された部分にセットする。その後、上述と同様の加熱および真空吸引等の処理を施して、コルゲート形状部２０を成形する。
【００４８】
また、上述の各実施例では、埋設図等によって既設管路１２の状態を把握するようにしているが、埋設図等がない場合や埋設図等では正確な把握が困難である場合等には、現地にて既設管路１２を調査して配管状態を把握する必要がある。たとえば、電磁誘導法，地中レーダ法または音波探査法等を用いて非開削で地中埋設管路を探査し、あるいは管内観察用のカメラ等を使用して管路内を調査することによって、既設管路１２の配管状態を把握することができる。なお、埋設図等があって把握できる場合であっても、この現地調査を行って、より正確な情報を得るようにしてもよい。
【００４９】
また、上述の各実施例では、予め工場等でコルゲート形状部２０を形成したインサーション管１０を施工現場に搬入して、これを既設管路１２に挿入する工法を採用しているが、たとえば、上述の現地調査をする場合等には（あるいは埋設図等で予め配管状態を把握できる場合であっても）、施工現場においてコルゲート形状部２０を成形してインサーション管１０を形成し、これを既設管路１２に挿入する他のインサーション工法を採用してもよい。
【００５０】
すなわち、まず、コルゲート形状部２０を形成する前段階の直管２６（図３）を準備する。直管２６は、現地調査で判明する既設管路１２の管路長よりも長くなるように十分な長さに設定される。そして、このような直管２６を巻き取ったドラム２８を施工現場に搬入する。
【００５１】
また、外型３２（図４），真空ポンプ，電源装置等のようなコルゲート形状部２０を形成するために必要な各種装置も施工現場に搬入する。
【００５２】
そして、施工現場において、調査結果または埋設図等に従って、直管２６に対して、その曲がり管部１６に相当する位置にコルゲート形状部２０を形成し、インサーション管１０を形成する。
【００５３】
また、上述の各実施例では、更新管路においても、既設管路１２と同程度の流量が要求される場合であったので、既設管路１２の直管部１４に相当する位置には、縮径加工によって断面略ハート形状に縮径されかつ復元時には直管部１４の内径と同程度の外径を有するように設定された縮径部２２を形成し、既設管路１２内へ挿入後に、この縮径部２２を断面円形に復元させるようにしている。しかし、更新管路において、既設管路１２の内径のたとえば１／２程度の径で足りる流量を確保すればよい場合等には、インサーション管は、その要求される流量に適合する径に設定されればよい。このような場合には、その外径が既設管路１２の内径よりも非常に小さいので、インサーション管１０に縮径部を形成しなくても、挿入抵抗が小さく抑えられる。つまり、インサーション管１０には縮径部が形成されていなくてもよい。
【００５４】
たとえば図８に示す他の実施例のインサーション管１０では、既設管路１２（図２）の直管部１４に相当する位置には、断面円形（図８（Ｂ））の直管部５０が形成されている。この実施例では、直管部５０の外径は、たとえば既設管路１２の内径の１／２程度に設定されている。また、このインサーション管１０でも、既設管路１２の曲がり管部１６に相当する位置には、コルゲート形状部５２が形成されている。したがって、このインサーション管１０でも、既設管路１２に挿入すると、図９に示すように、コルゲート形状部５２が既設管路１２の曲がり管部１６に追随して屈曲することができる。
【００５５】
なお、直管部５０ａ，５０ｂおよび５０ｃは、既設管路１２の直管部１４ａ，１４ｂおよび１４ｃにそれぞれ対応しており、これらをまとめて参照符号５０を用いて直管部５０という。また、コルゲート形状部５２ａおよび５２ｂは、既設管路１２の曲がり管部１６ａおよび１６ｂにそれそれ対応しており、これらをまとめて参照符号５２を用いてコルゲート形状部５２という。
【００５６】
このインサーション管１０を製造あるいは形成する際には、図３の断面略ハート形状の直管２６とは異なって、図８（Ｂ）と同じ所定の径で断面円形を有する直管（図示せず）を準備する。そして、この直管に対して、既設管路１２の曲がり管部１６に相当する位置に、上述の各実施例と同様な２次加工を施して、コルゲート形状部５２を形成する。コルゲート形状部５２を形成するためには、たとえば、図４の外型３２と同様なものであってその内径をこの例に適合する径に設定した外型（図示せず）を準備すればよい。
【００５７】
このインサーション管１０では、縮径部が形成されないので、より簡単に製造できる。しかも、挿入後には復元のための加熱加圧蒸気を供給する必要もないので簡単に施工できる。
【００５８】
なお、上述の各実施例では、製造および施工時の各温度設定は、インサーション管１０の構成材料がポリエチレンの場合の一例を示しているが、インサーション管１０を他の合成樹脂材料（たとえばポリブテン，ポリプロピレン，ナイロン，塩化ビニル等）で構成する場合には、上述の各実施例と同様に、その合成樹脂材料の融点および軟化点に従って、コルゲート形状の成形，押し込み部分の成形および復元ならびに挿入時の軟化等を適切に行えるような各温度をそれぞれ選定する。
【図面の簡単な説明】
【図１】この発明の一実施例のインサーション管を示す図解図であり、（Ａ）は正面図、（Ｂ）は（Ａ）におけるＩＢ−ＩＢ断面図、（Ｃ）は（Ａ）におけるＩＣ−ＩＣ断面図である。
【図２】図１実施例のインサーション管を既設管路内へ引き込む工程を示す図解図である。
【図３】インサーション管を製造するための直管を示す図解図であり、（Ａ）は正面図、（Ｂ）は（Ａ）におけるＩＩＩＢ−ＩＩＩＢ断面図である。
【図４】インサーション管の製造方法の一部を示す図解図であり、（Ａ）はコルゲート形状部を形成するための外型内に直管をセットした状態を示す図解図、（Ｂ）はその後コルゲート形状を付与する工程を示す図解図である。
【図５】図１実施例のインサーション管が挿入された既設管路の曲がり管部を示す図解図である。
【図６】図５のインサーション管の縮径部を復元させた状態を示す図解図である。
【図７】インサーション管の製造方法の他の実施例の一部を示す図解図であり、（Ａ）は直管の曲がり管部に相当する位置を予め断面円形に復元させる工程を示す図解図、（Ｂ）はその後コルゲート形状部を形成するための外型内にセットした状態を示す図解図である。
【図８】この発明の他の実施例のインサーション管を示す図解図であり、（Ａ）は正面図、（Ｂ）は（Ａ）におけるＶＩＩＩＢ−ＶＩＩＩＢ断面図、（Ｃ）は（Ａ）におけるＶＩＩＩＣ−ＶＩＩＩＣ断面図である。
【図９】図８実施例のインサーション管が挿入された既設管路の曲がり管部を示す図解図である。
【符号の説明】
１０  …インサーション管
１２  …既設管路
１４，１４ａ，１４ｂ，１４ｃ  …直管部（既設管路）
１６，１６ａ，１６ｂ  …曲がり管部
２０，２０ａ，２０ｂ，５２，５２ａ，５２ｂ  …コルゲート形状部
２２，２２ａ，２２ｂ，２２ｃ  …縮径部
２６  …直管
５０，５０ａ，５０ｂ，５０ｃ  …直管部（インサーション管）
【図１】
2004232673.tif 000003
【図２】
2004232673.tif 000004
【図３】
2004232673.tif 000005
【図４】
2004232673.tif 000006
【図５】
2004232673.tif 000007
【図６】
2004232673.tif 000008
【図７】
2004232673.tif 000009
【図８】
2004232673.tif 000010
【図９】
2004232673.tif 000011